(57)【要約】【課題】  どの方向から取付け金具に結束しても、大きなねじれ等なく安定してケーブルを結束することができると共に、外観上も見映えがよいケーブルタイを提供することにある。【解決手段】  長手方向に鋸歯状の係合部を設けた可撓性を有するバンド部と、該バンド部の基端に連設して、内設する係合爪が前記係合部に係合することにより前記バンド部の先端からの挿通を一方向にのみ許容する挿入口を設けた第１固定部と、該第１固定部の先端に所定の角度を以って連設して、内設する係合爪が前記係合部に係合して前記バンド部の先端からの挿通を前記第１固定部への挿通方向とは反対の一方向にのみ許容する挿入口を設けた第２固定部とからなることを特徴とする。【選択図】図１
2011229355.tif 000002
【特許請求の範囲】
【請求項１】
長手方向に鋸歯状の係合部を設けた可撓性を有するバンド部と、該バンド部の基端に連設して、内設する係合爪が前記係合部に係合することにより前記バンド部の先端からの挿通を一方向にのみ許容する挿入口を設けた第１固定部と、該第１固定部の先端に所定の角度を以って連設して、内設する係合爪が前記係合部に係合して前記バンド部の先端からの挿通を前記第１固定部への挿通方向とは反対の一方向にのみ許容する挿入口を設けた第２固定部とからなることを特徴とするケーブルタイ。
【請求項２】
前記第１固定部と前記第２固定部が４５度の角度を以って連設されたことを特徴とする請求項１に記載のケーブルタイ。
【発明の詳細な説明】
【技術分野】
【０００１】  この発明はケーブル工事において、複数本のケーブルを構造物の梁等に使用するＨ型鋼材や架設材として使用するアングル材のフランジに固定する取付け金具に取付けるためのケーブルタイに関する。
【背景技術】
【０００２】  従来、ケーブルタイとして、例えば、実開平０７−３４１５０号、実開昭６２−５４９５４号が開示されている。
共にバンドの先端に固定のための挿通口を２ヶ所設け、２つの部材に結束することを目的としたものであり、実開平０７−３４１５０号はシートなどの面状体と支柱との２つの部材間で水平方向の位置ずれを生じ難くできる効果を期待する連結具である。
また、実開昭６２−５４９５４号にはバンド本体にバンドを挿入する２つの孔を背中合わせに設けたものであり、２つの部材を結束することが可能になるものである。【０００３】  上記従来の方法では、２つの部材を締付けてそれぞれ結束することができるが、部材の結束方向が平行状態に限定されてしまう。
例えば、図７に示すように、この種のケーブルタイをアングル材に固定した取付け金具に、一方の挿通口にバンドを挿入して結束した場合、その結束方向とケーブルを結束する方向、配線するケーブルの長手方向と一致するが、平行状態にならないとケーブルタイ自体の復元力により大きくねじれた状態で結束され、安定して固定することができず、外観上も見映えが悪くなっていた。
従って、作業者はケーブルタイを取付け金具に結束する際に、ケーブルの配線方向を予め考慮する必要があり、また、ケーブルの配線方向は場所により様々なので間違えが生じたり、設計変更等により配線方向が変わった時等は取付け直しをする作業手間が掛かっていたなどの問題点が有った。
【先行技術文献】
【特許文献】
【０００４】
【特許文献１】実開平０７−３４１５０号
【特許文献２】実開昭６２−５４９５４号
【発明の概要】
【発明が解決しようとする課題】
【０００５】  この発明は上記従来の課題に鑑みなされたもので、どの方向から取付け金具に結束しても、大きなねじれ等なくケーブルを安定して結束することができると共に、外観上も見映えがよいケーブルタイを提供することにある。
【課題を解決するための手段】
【０００６】  その手段として本発明の請求項１は、長手方向に鋸歯状の係合部を設けた可撓性を有するバンド部と、該バンド部の基端に連設して、内設する係合爪が前記係合部に係合することにより前記バンド部の先端からの挿通を一方向にのみ許容する挿入口を設けた第１固定部と、該第１固定部の先端に所定の角度を以って連設して、内設する係合爪が前記係合部に係合して前記バンド部の先端からの挿通を前記第１固定部への挿通方向とは反対の一方向にのみ許容する挿入口を設けた第２固定部とからなることを特徴とする。【０００７】  本発明の請求項２は、前記第１固定部と前記第２固定部が４５度の角度を以って連設されたことを特徴とする
【発明の効果】
【０００８】  本発明のケーブルタイよれば、第１固定部の先端に所定の角度を以って第２固定部を連設したことで第１固定部の結束方向に対して所定の角度で第２固定部の結束方向を設定することが出来るので、交差する２つの部材に沿って安定して結束することができると共に、ねじれ等を防止できるので外観上の見映えもよくなる。
また、第１固定部と第２固定部を４５度の角度で連設することで、２つの部材が平行、あるいは直交のどちらに交差して固定する場合であっても、必要以上のねじれがなくなるので安定して結束することができると共に、外観上の見映えもよいなど、上記従来の課題を解消することができる。
【図面の簡単な説明】
【０００９】
【図１】本発明の実施例を示す斜視図
【図２】本発明の実施例を示す平面図
【図３】本発明の実施例の係合状態を示す挿通口の拡大切断図
【図４】本発明の実施例の使用状態図
【図５】本発明の実施例の使用状態図
【図６】本発明の実施例の使用状態図
【図７】従来例を示す使用状態図
【発明を実施するための形態】
【００１０】  本発明の実施例を図面により詳細に説明する。
図１は本発明の実施例を示す斜視図、図２は本発明の実施例を示す平面図、図３は本発明の実施例の係合状態を示す挿通口の拡大切断図である。
１はバンド部であり、可撓性を有する帯状体の長手方向の片面に鋸歯状の係合部２を設け、先端はやや細くなるように形成する。
３はバンド部１の基端に設けた第１固定部であり、矩形状の挿入口４に係合爪５を内設する。
係合爪５は挿入口４に挿通するバンド部１の挿通方向にのみ可動すると共に、係合部２に掛止することでバンド部１の先端からの挿通を一方向にのみ許容することができる。
６は第２固定部であり、第１固定部と同様に矩形状の挿入口７に係合爪８を内設するが、バンド部１の挿通方向が第１固定部３の挿通方向と反対になるように反転させると共に、第１固定部３の先端から４５度方向に連結片９を延伸して第２固定部を連結する。
【００１１】  上記構成を合成樹脂材により一体的に成形することが望ましい。
また、第１固定部と第２固定部を連結部により４５度方向で連結した形態を説明したが、角度は４５度に限定するものではなく、個々に結束する２部材の結束方向にあわせて角度を設定することができる。
【００１２】  次に本発明の実施例の使用方法を実施例を用いて説明する。
図４、図５、図６は本発明の実施例の使用状態図である。
固定金具Ａをアングル材Ｃのフランジ部に取付けた後、固定金具Ａの底面の透孔Ｂにバンド部１を挿通すると共に透孔Ｂの周縁部分を巻くようにしてバンド部１の先端から第１固定部３の挿入口４に挿通して結束する。
アングル材Ｃの長手方向に平行状態に架設する複数本のケーブルＤを巻くようにしてバンド部１の先端を第２固定部６の挿入口７から挿通して結束する。
図６はケーブルＤの配線方向がアングル材Ｃの長手方向に直交状態で架設する場合であり、配線方向が変わっても大きくねじれることなく安定して結束することができる。
【符号の説明】
【００１３】１      バンド部
２      係合部
３      第１固定部
４、７  挿入口
５、８  係合爪
６      第２固定部
７      連結片
Ａ      固定金具
Ｂ      透孔
Ｃ      アングル材
Ｄ      ケーブル
【図１】
2011229355.tif 000003
【図２】
2011229355.tif 000004
【図３】
2011229355.tif 000005
【図４】
2011229355.tif 000006
【図５】
2011229355.tif 000007
【図６】
2011229355.tif 000008
【図７】
2011229355.tif 000009